【手続補正書】
【提出日】平成17年8月30日(2005.8.30)
【手続補正１】
【補正対象書類名】特許請求の範囲
【補正対象項目名】全文
【補正方法】変更
【補正の内容】
【特許請求の範囲】
【請求項１】
再構成可能装置であって、
処理装置入力及び処理装置出力をそれぞれが備えている複数の処理装置と、
前記処理装置出力の少なくとも一つを前記処理装置入力の少なくとも一つに接続する構成可能ルーティングネットワークと、
前記構成可能ルーティングネットワークと前記処理装置入力の間に位置しており、少なくともその一つは論理回路及び電圧変調回路を備えている複数の入力バッファ回路を備え、
前記構成可能ルーティングネットワークは、一つまたは二つ以上の入力バッファ回路へ劣化電圧入力信号を供給する再構成可能装置。
【請求項２】
前記構成可能ルーティングネットワークは、複数のパストランジスタを備えていることを特徴とする請求項１の再構成可能装置。
【請求項３】
前記電圧変調回路は、非劣化供給電圧信号を受信しており、前記論理回路に出力供給電圧信号を供給しており、
その出力供給電圧信号は、前記非劣化供給電圧信号又は劣化供給電圧信号のいずれかを備えていることを特徴とする請求項１の再構成可能装置。
【請求項４】
前記論理回路は、
前記構成可能ルーティングネットワークから前記劣化電圧入力信号を受信する論理回路入力と、
前記電圧変調回路から前記出力供給電圧信号を受信する供給電圧入力と、
論理回路出力を備えており、
前記電圧変調回路は、
前記非劣化供給電圧信号を受信する電圧変調回路入力と、
前記供給電圧入力に前記出力供給電圧信号を供給する電圧変調回路出力と、
前記非劣化供給電圧信号を前記劣化供給電圧に変換し、前記劣化供給電圧信号を前記電圧変調回路出力に供給するコンバータと、
前記コンバータをバイパスし、前記非劣化供給電圧信号を前記電圧変調回路出力に供給するバイパス回路と、
前記出力供給電圧信号を前記電圧変調回路出力へ供給するために、前記コンバータと前記バイパス回路の間で選択するための制御信号を受信する制御入力とを備えていることを特徴とする請求項３の再構成可能装置。
【請求項５】
前記コンバータは、トランジスタを備えていることを特徴とする請求項４の再構成可能装置。
【請求項６】
前記トランジスタはゲート入力を備えており、前記制御入力は前記トランジスタのゲート入力に接続されることを特徴とする請求項５の再構成可能装置。
【請求項７】
前記トランジスタはゲート入力を備えており、前記電圧変調回路入力は前記ゲート入力に接続されることを特徴とする請求項５の再構成可能装置。
【請求項８】
前記バイパス回路は、トランジスタを備えていることを特徴とする請求項４の再構成可能装置。
【請求項９】
前記トランジスタはゲート入力を備えており、前記制御入力は前記トランジスタのゲート入力に接続されることを特徴とする請求項８の再構成可能装置。
【請求項１０】
前記バイパス回路は、抵抗を備えていることを特徴とする請求項４の再構成可能装置。
【請求項１１】
前記非劣化供給電圧は高値を備えており、前記劣化供給電圧は前記高値より低い減少高値を備えていることを特徴とする請求項４の再構成可能装置。
【請求項１２】
前記電圧変調回路は正供給電圧に接続しており、前記高値は正供給電圧と略等しいことを特徴とする請求項１１の再構成可能装置。
【請求項１３】
前記高値は、高ＣＭＯＳ電圧を備えていることを特徴とする請求項１１の再構成可能装置。
【請求項１４】
前記構成可能ルーティングネットワークは閾値電圧を有する装置を備えており、前記減少高値は前記高値から前記閾値電圧の絶対値を差し引いた値に略等しいことを特徴とする請求項１１の再構成可能装置。
【請求項１５】
前記非劣化供給電圧は低値を備えており、前記劣化供給電圧は前記低値より高い増大低値を備えていることを特徴とする請求項４の再構成可能装置。
【請求項１６】
前記電圧変調回路はグラウンド電圧に接続しており、前記低値は前記グラウンド電圧と略等しいことを特徴とする請求項１５の再構成可能装置。
【請求項１７】
前記低値は、低ＣＭＯＳ電圧を備えていることを特徴とする請求項１５の再構成可能装置。
【請求項１８】
前記構成可能ルーティングネットワークは閾値電圧を有する装置を備えており、前記増大低値は前記低値に前記閾値電圧の絶対値を加えた値に略等しいことを特徴とする請求項１５の再構成可能装置。
【請求項１９】
前記少なくとも一つの入力バッファ回路は正供給電圧及びグラウンド電圧に接続しており、前記電圧変調回路は前記正供給電圧と前記グラウンド電圧の間にいかなる追加的電流経路も形成せずにグラウンド電圧間論理回路に接続することを特徴とする請求項１の再構成可能装置。
【請求項２０】
前記制御信号は、前記論理回路出力上に供給される出力信号に基づいていることを特徴とする請求項４の再構成可能装置。
【請求項２１】
前記制御信号は、前記出力信号の反転信号に等しいことを特徴とする請求項２０の再構成可能装置。
【請求項２２】
前記電圧変調回路出力は、前記電圧変調回路出力から前記供給電圧入力に電流が流れることを可能にするために前記供給電圧入力に接続されることを特徴とする請求項４の再構成可能装置。
【請求項２３】
前記電圧変調回路出力は、前記電圧変調回路入力から前記論理回路出力に電流が流れることを可能にするために前記供給電圧入力に接続されることを特徴とする請求項２２の再構成可能装置。
【請求項２４】
前記電圧変調回路は、第２非劣化供給電圧信号を受信しており、前記論理回路に第２出力供給電圧信号を供給しており、
前記第２出力供給電圧信号は、前記第２非劣化供給電圧信号又は第２劣化供給電圧信号のいずれかを備えていることを特徴とする請求項４の再構成可能装置。
【請求項２５】
前記論理回路は、第２出力供給電圧信号を受信する第２供給電圧入力をさらに備えており、
前記電圧変調回路は、
前記第２非劣化供給電圧信号を受信する第２電圧変調回路入力と、
前記第２供給電圧入力に前記第２出力供給電圧信号を供給する第２電圧変調回路出力と、
前記第２非劣化供給電圧信号を前記第２劣化供給電圧に変換し、前記第２劣化供給電圧信号を前記第２電圧変調回路出力に供給する第２コンバータと、
前記第２コンバータをバイパスし、前記第２非劣化供給電圧信号を前記第２電圧変調回路出力に供給する第２バイパス回路と、
前記第２出力供給電圧信号を前記第２電圧変調回路出力に供給するために、前記第２コンバータと前記第２バイパス回路の間で選択をするための第２制御信号を受信する第２制御入力とを備えていることを特徴とする請求項２４の再構成可能装置。
【請求項２６】
再構成可能装置であって、
処理装置入力及び処理装置出力をそれぞれが備えている複数の処理装置と、
前記処理装置出力の少なくとも一つを前記処理装置入力の少なくとも一つに接続する構成可能ルーティングネットワークを備え、
前記構成可能ルーティングネットワークは複数の能動装置を備えており、
前記複数の処理装置は第１供給電圧を受信しており、
前記複数の能動装置は前記第１供給電圧と異なる第２供給電圧を受信する再構成可能装置。
【請求項２７】
前記複数の能動装置の少なくとも一つは正閾値電圧を有しており、前記第１供給電圧は正供給電圧を備えており、前記第２供給電圧は前記第１供給電圧に前記閾値電圧を加えたものより大きいか、又は略等しいことを特徴とする請求項２６の再構成可能装置。
【請求項２８】
略等しい能動装置の少なくとも一つは、ＮＭＯＳトランジスタである請求項２７に記載の再構成可能装置。
【請求項２９】
または略等しい複数の能動装置の少なくとも一つは負閾値電圧を有しており、第１供給電圧はグラウンド供給電圧を備えており、前記第２供給電圧は前記第１供給電圧に前記閾値電圧を加えたものよりも小さいか、又は略等しいことを特徴とする請求項２６の再構成可能装置。
【請求項３０】
前記能動装置の少なくとも一つは、ＰＭＯＳトランジスタであることを特徴とする請求項２９の再構成可能装置。
【請求項３１】
前記能動装置の少なくとも一つは、パストランジスタであることを特徴とする請求項２６の再構成可能装置